(57)【要約】  【課題】材質を紙材質でかつ包装する重積硬貨のいずれの金種についても共通とし、重積硬貨の周面を可視し得て金種や枚数などを確認できる硬貨包装紙12を提供する。  【解決手段】硬貨包装紙12は、材質を紙材質とし、紙材質に対して透明化処理を施して透明化域16を形成する。透明化域16は、重積硬貨に巻回する巻回方向に対し交差する幅方向には全域に形成するとともに巻回方向には所定幅ｂでかつ所定ピッチｐで形成する。透明化域16の所定幅ｂおよび所定ピッチｐは、包装する重積硬貨のいずれの金種についてもその重積硬貨の周囲に巻回した包装状態で透明化域16を通じて重積硬貨の周面が可視し得る可視化域が形成される値に設定する。  【選択図】図１
2005231705.tif 000002
【特許請求の範囲】
【請求項１】
包装する重積硬貨のいずれの金種についても共通でその重積硬貨の周囲に巻回して包装する硬貨包装紙であって、
材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、
その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定された
ことを特徴とする硬貨包装紙。
【請求項２】
包装工程で所定長さの切断ピッチの包装紙片に切断されて重積硬貨の周囲に巻回され、この包装紙片の所定長さの切断ピッチは、包装する重積硬貨のいずれの金種についてもその重積硬貨の周囲に略２巻き巻回される値に設定され、
透明化域の所定幅および所定ピッチは、包装する重積硬貨のいずれの金種についてもその重積硬貨の周囲に巻回される包装紙片の重なり部位に各々形成される透明化域を通じて重積硬貨の周面が可視し得る可視化域が形成される値に設定された
ことを特徴とする請求項１記載の硬貨包装紙。
【請求項３】
包装する重積硬貨の高さが異なるいずれの金種についても共通でその重積硬貨の周囲に巻回して包装する硬貨包装紙であって、包装時に略凸Ｖ字形カッタにより略凸Ｖ字形状先端部とそれに続く後続主要部分とそれに続き略凸Ｖ字形状先端部に対応する略凹Ｖ字形状後端部とを有する包装紙片に切断され、この包装紙片によって重積硬貨を包装する硬貨包装紙において、
材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、
その透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定された
ことを特徴とする硬貨包装紙。
【請求項４】
透明化域は、紙材質に透明化薬剤およびワックスのいずれかが浸透して形成された
ことを特徴とする請求項１ないし３いずれか記載の硬貨包装紙。
【請求項５】
包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用い、
この包装ロール紙を硬貨包装機の包装機構に導く給紙機構に装填し、
前記包装機構の複数の包装ローラ間に重積硬貨を送り込み、その送り込む重積硬貨の高さ位置を金種に応じて異ならせ、いずれの金種についても重積硬貨の高さ方向の中心を包装機構に導く包装ロール紙の上下方向の中心に略一致させ、
包装ローラで重積硬貨を挟持回転させ、
包装ロール紙の先端部分を包装ローラと重積硬貨との間に導いて巻回開始させ、巻回途中で包装ロール紙の後続部分を直線状に緊張させてカッタに押し付けて所定長さの包装紙片に切断し、その包装紙片を重積硬貨の周面に巻回させ、
重積硬貨より上下に突出する包装紙片の突出部分を包装機構の上下のかしめ鉤で重積硬貨の上下面にかしめる
ことを特徴とする硬貨包装方法。
【請求項６】
包装する重積硬貨の高さが異なるいずれの金種についても共通な硬貨包装紙を用い、この硬貨包装紙を用いた包装時に略凸Ｖ字形カッタにより略凸Ｖ字形状先端部とそれに続く後続主要部分とそれに続き略凸Ｖ字形状先端部に対応する略凹Ｖ字形状後端部とを有する包装紙片に切断し、この包装紙片によって重積硬貨を包装する硬貨包装方法において、
硬貨包装紙として、材質が紙材質でこの紙材質に透明化処理が施された透明化域を有するロール状に巻回した包装ロール紙を用い、この包装ロール紙上の透明化域は、重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定されており、
この包装ロール紙を硬貨包装機の包装機構に導く給紙機構に装填し、
前記包装機構の複数の包装ローラ間に重積硬貨を送り込み、その送り込む重積硬貨の高さ位置を金種に応じて異ならせ、いずれの金種についても重積硬貨の高さ方向の中心を包装機構に導く包装ロール紙の上下方向の中心に略一致させ、
包装ローラで重積硬貨を挟持回転させ、
前回の包装時に略凸Ｖ字形カッタで切断された包装ロール紙の略凸Ｖ字形状先端部を包装ローラと重積硬貨との間に導いて巻回開始させ、巻回途中で包装ロール紙の後続部分を直線状に緊張させて略凸Ｖ字形カッタに押し付けて所定長さの包装紙片に切断し、
その包装紙片を重積硬貨の周面に巻回させ、
重積硬貨より上下に突出する包装紙片の突出部分を包装機構の上下のかしめ鉤で重積硬貨の上下面にかしめ、
いずれの金種の包装硬貨についても包装紙片の巻回方向長さ全長が巻回された包装硬貨のいずれかの巻回包装域に、透明化域を通じて重積硬貨の周面が可視し得る可視化域が形成された包装硬貨を、上下のかしめ爪の退避と包装ローラの退避とにより包装機構から放出する
ことを特徴とする硬貨包装方法。
【発明の詳細な説明】
【技術分野】
【０００１】
本発明は、所定枚数の硬貨を重積した重積硬貨を包装する硬貨包装紙、およびこの硬貨包装紙を用いた硬貨包装方法に関する。
【背景技術】
【０００２】
従来、所定枚数の硬貨を重積した重積硬貨を包装する場合、硬貨包装紙をロール状に巻回した包装ロール紙を用い、この包装ロール紙を硬貨包装機の包装機構に導く給紙機構に装填し、そして、包装機構の複数の包装ローラ間に所定枚数の硬貨を重積した重積硬貨を送り込み、複数の包装ローラ間で重積硬貨を挟持して回転させ、重積硬貨挟持の前または後の時期に給紙機構によって包装ロール紙の先端部分を包装ローラと重積硬貨との間に導いて巻回開始させ、巻回途中で包装ロール紙の後続部分を直線状に緊張させてカッタに押し付けて所定長さの包装紙片に切断し、その包装紙片を重積硬貨の周面に巻回させ、重積硬貨より上下に突出する包装紙片の突出部分を包装機構の上下のかしめ鉤で重積硬貨の上下面にかしめている。
【０００３】
この包装ロール紙に用いる硬貨包装紙としては、一般に、セロハンや合成樹脂などの透明材質か、不透明な紙材質が用いられている。
【０００４】
セロハンや合成樹脂などの透明材質の硬貨包装紙では、透明部分を通じて重積硬貨の周面を可視でき、重積硬貨の金種や枚数などを確認できる利点がある。そして、全体を透明とし、包装する重積硬貨のいずれの金種についても共通とした硬貨包装紙がある（例えば、特許文献１参照。）。また、硬貨包装紙を重積硬貨に巻回する巻回方向に所定間隔毎に透明部を残して、不透明部を印刷形成し、この不透明部に銀行名や金種などの文字を印刷表示した硬貨包装紙があり、この硬貨包装紙では、金種別に専用であるものの、硬貨包装紙を重積硬貨に２巻き巻回した場合に１巻き目の透明部と２巻き目の透明部とが重なり、これら透明部を通じて重積硬貨の周面を可視できるようにしており、さらに、透明部は硬貨包装紙の幅方向の全域に設けた例もある（例えば、特許文献２参照。）。また、硬貨包装紙の巻回方向に透明部と不透明部とを有し、重積硬貨の周面に２巻きした状態で不透明部が重ならないように不透明部の巻回方向のピッチを規定し、包装する重積硬貨のいずれの金種についても共通とした硬貨包装紙がある（例えば、特許文献３参照。）。
【０００５】
また、紙材質の硬貨包装紙では、不透明であるために重積硬貨の周面が隠蔽されるが、硬貨包装紙の表面に銀行名や金種などの表示を任意にできる利点があり、そのため、重積硬貨を包装する際に、銀行名、金種、金額などの文字を印刷することにより、包装する重積硬貨のいずれの金種についても硬貨包装紙を共通にすることが可能となっている（例えば、特許文献４、５参照。）。
【特許文献１】特公昭５７−２７００８号公報（第１−３頁、第１−２図）
【特許文献２】実願昭４６−５３７６号（実開昭４７−５２７８号公報）のマイクロフィルム（第３−５頁、第１−５図）
【特許文献３】実願昭４８−３９３１０号（実開昭４９−１３７９７１号公報）のマイクロフィルム（第３−４頁、第１−２図）
【特許文献４】実公昭５３−５０７０５号公報（第１−２頁、第１−２図）
【特許文献５】特公昭５０−１３６８３号公報（第２−３頁、第１−７図）
【発明の開示】
【発明が解決しようとする課題】
【０００６】
上述のように、硬貨包装紙の材質をセロハンや合成樹脂などの透明材質とした場合、透明部分を通じて重積硬貨の金種や枚数などを確認できるが、紙材質に比べて高価で環境への配慮の点で劣る問題がある。
【０００７】
また、硬貨包装紙の材質を紙材質とした場合、セロハンや合成樹脂などに比べて安価で環境への配慮の点でも優れているが、重積硬貨の周面が隠蔽され、重積硬貨の周面側から重積硬貨を可視して金種や枚数などを確認できない問題がある。
【０００８】
本発明は、このような点に鑑みなされたもので、材質を安価で環境への配慮の点でも優れた紙材質でかつ包装する重積硬貨のいずれの金種についても共通とし、そのうえで重積硬貨の周面を重積方向全域にわたって可視し得て金種や枚数などを確認できる硬貨包装紙、およびこの硬貨包装紙を用いた硬貨包装方法を提供することを目的とする。
【課題を解決するための手段】
【０００９】
請求項１記載の硬貨包装紙は、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定されたものである。
【００１０】
そして、この構成では、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定したため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認可能とする。
【００１１】
請求項２記載の硬貨包装紙は、請求項１記載の硬貨包装紙において、包装工程で所定長さの切断ピッチの包装紙片に切断されて重積硬貨の周囲に巻回され、この包装紙片の所定長さの切断ピッチは、包装する重積硬貨のいずれの金種についてもその重積硬貨の周囲に略２巻き巻回される値に設定され、透明化域の所定幅および所定ピッチは、包装する重積硬貨のいずれの金種についてもその重積硬貨の周囲に巻回される包装紙片の重なり部位に各々形成される透明化域を通じて重積硬貨の周面が可視し得る可視化域が形成される値に設定されたものである。
【００１２】
そして、この構成では、包装工程で所定長さに切断されて重積硬貨の周囲に巻回される包装紙片が、包装する重積硬貨のいずれの金種についてもその重積硬貨の周囲に略２巻き巻回される場合、透明化域の所定幅および所定ピッチは、包装する重積硬貨のいずれの金種についてもその重積硬貨の周囲に巻回される包装紙片の重なり部位に各々形成される透明化域を通じて重積硬貨の周面が可視し得る可視化域が形成される値に設定したため、透明化域を通じて重積硬貨の周面を重積方向全域にわたって確実に可視し得る。
【００１３】
請求項３記載の硬貨包装紙は、包装する重積硬貨の高さが異なるいずれの金種についても共通でその重積硬貨の周囲に巻回して包装する硬貨包装紙であって、包装時に略凸Ｖ字形カッタにより略凸Ｖ字形状先端部とそれに続く後続主要部分とそれに続き略凸Ｖ字形状先端部に対応する略凹Ｖ字形状後端部とを有する包装紙片に切断され、この包装紙片によって重積硬貨を包装する硬貨包装紙において、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定されたものである。
【００１４】
そして、この構成では、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定したため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認可能とする。特に、透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定したため、その可視化域が重積硬貨の周面のいかなる位置に形成されても重積硬貨の重積方向全域の可視が許容され、さらには包装紙片の後端部の略凹Ｖ字形状後端部に可視化域が形成される場合でも重積方向全域の可視が許容される。
【００１５】
請求項４記載の硬貨包装紙は、請求項１ないし３いずれか記載の硬貨包装紙において、透明化域は、紙材質に透明化薬剤およびワックスのいずれかが浸透して形成されたものである。
【００１６】
そして、この構成では、紙材質に透明化薬剤およびワックスのいずれかを浸透させることにより、透明化域を容易に形成可能となる。
【００１７】
請求項５記載の硬貨包装方法は、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用い、この包装ロール紙を硬貨包装機の包装機構に導く給紙機構に装填し、前記包装機構の複数の包装ローラ間に重積硬貨を送り込み、その送り込む重積硬貨の高さ位置を金種に応じて異ならせ、いずれの金種についても重積硬貨の高さ方向の中心を包装機構に導く包装ロール紙の上下方向の中心に略一致させ、包装ローラで重積硬貨を挟持回転させ、包装ロール紙の先端部分を包装ローラと重積硬貨との間に導いて巻回開始させ、巻回途中で包装ロール紙の後続部分を直線状に緊張させてカッタに押し付けて所定長さの包装紙片に切断し、その包装紙片を重積硬貨の周面に巻回させ、重積硬貨より上下に突出する包装紙片の突出部分を包装機構の上下のかしめ鉤で重積硬貨の上下面にかしめるものである。
【００１８】
そして、この構成では、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用いるため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認可能とする。さらに、包装する重積硬貨のいずれの金種についても重積硬貨の高さ方向の中心を包装ロール紙の上下方向の中心に略一致させて包装することにより、包装する重積硬貨のいずれの金種についても紙材質の共通の包装ロール紙を用いて包装可能とする。
【００１９】
請求項６記載の硬貨包装方法は、包装する重積硬貨の高さが異なるいずれの金種についても共通な硬貨包装紙を用い、この硬貨包装紙を用いた包装時に略凸Ｖ字形カッタにより略凸Ｖ字形状先端部とそれに続く後続主要部分とそれに続き略凸Ｖ字形状先端部に対応する略凹Ｖ字形状後端部とを有する包装紙片に切断し、この包装紙片によって重積硬貨を包装する硬貨包装方法において、硬貨包装紙として、材質が紙材質でこの紙材質に透明化処理が施された透明化域を有するロール状に巻回した包装ロール紙を用い、この包装ロール紙上の透明化域は、重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定されており、この包装ロール紙を硬貨包装機の包装機構に導く給紙機構に装填し、前記包装機構の複数の包装ローラ間に重積硬貨を送り込み、その送り込む重積硬貨の高さ位置を金種に応じて異ならせ、いずれの金種についても重積硬貨の高さ方向の中心を包装機構に導く包装ロール紙の上下方向の中心に略一致させ、包装ローラで重積硬貨を挟持回転させ、前回の包装時に略凸Ｖ字形カッタで切断された包装ロール紙の略凸Ｖ字形状先端部を包装ローラと重積硬貨との間に導いて巻回開始させ、巻回途中で包装ロール紙の後続部分を直線状に緊張させて略凸Ｖ字形カッタに押し付けて所定長さの包装紙片に切断し、その包装紙片を重積硬貨の周面に巻回させ、重積硬貨より上下に突出する包装紙片の突出部分を包装機構の上下のかしめ鉤で重積硬貨の上下面にかしめ、いずれの金種の包装硬貨についても包装紙片の巻回方向長さ全長が巻回された包装硬貨のいずれかの巻回包装域に、透明化域を通じて重積硬貨の周面が可視し得る可視化域が形成された包装硬貨を、上下のかしめ爪の退避と包装ローラの退避とにより包装機構から放出するものである。
【００２０】
そして、この構成では、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用いるため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認可能とする。さらに、包装する重積硬貨のいずれの金種についても重積硬貨の高さ方向の中心を包装ロール紙の上下方向の中心に略一致させて包装することにより、包装する重積硬貨のいずれの金種についても紙材質の共通の包装ロール紙を用いて包装可能とする。特に、透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定したため、その可視化域が重積硬貨の周面のいかなる位置に形成されても重積硬貨の重積方向全域の可視が許容され、さらには包装紙片の後端部の略凹Ｖ字形状後端部に可視化域が形成される場合でも重積方向全域の可視が許容される。
【発明の効果】
【００２１】
請求項１記載の硬貨包装紙によれば、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定したため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認できる。
【００２２】
請求項２記載の硬貨包装紙によれば、請求項１記載の硬貨包装紙の効果に加えて、包装工程で所定長さに切断されて重積硬貨の周囲に巻回される包装紙片が、包装する重積硬貨のいずれの金種についてもその重積硬貨の周囲に略２巻き巻回される場合、透明化域の所定幅および所定ピッチは、包装する重積硬貨のいずれの金種についてもその重積硬貨の周囲に巻回される包装紙片の重なり部位に各々形成される透明化域を通じて重積硬貨の周面が可視し得る可視化域が形成される値に設定したため、透明化域を通じて重積硬貨の周面を重積方向全域にわたって確実に可視し得ることができる。
【００２３】
請求項３記載の硬貨包装紙によれば、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定したため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認できる。特に、透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定したため、その可視化域が重積硬貨の周面のいかなる位置に形成されても重積硬貨の重積方向全域を可視でき、さらには包装紙片の後端部の略凹Ｖ字形状後端部に可視化域が形成される場合でも重積方向全域を可視できる。
【００２４】
請求項４記載の硬貨包装紙によれば、請求項１ないし３いずれか記載の硬貨包装紙の効果に加えて、紙材質に透明化薬剤およびワックスのいずれかを浸透させることにより、透明化域を容易に形成できる。
【００２５】
請求項５記載の硬貨包装方法によれば、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用いるため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認できる。さらに、包装する重積硬貨のいずれの金種についても重積硬貨の高さ方向の中心を包装ロール紙の上下方向の中心に略一致させて包装することにより、包装する重積硬貨のいずれの金種についても紙材質の共通の包装ロール紙を用いて包装できる。
【００２６】
請求項６記載の硬貨包装方法によれば、包装する重積硬貨のいずれの金種についても共通でその重積硬貨の周囲に巻回して包装する硬貨包装紙であって、材質が紙材質で、この紙材質に透明化処理が施された透明化域を有し、この透明化域は重積硬貨に巻回される巻回方向に対し交差する幅方向には全域に形成されるとともに巻回方向には所定幅でかつ所定ピッチで形成され、その透明化域の所定幅および所定ピッチは、包装する重積硬貨のいずれの金種についてもその重積硬貨の周囲に巻回した包装状態で透明化域を通じて重積硬貨の周面が可視し得る可視化域が形成される値に設定される硬貨包装紙をロール状に巻回した包装ロール紙を用いるため、セロハンや合成樹脂などの材質に比べて安価で環境への配慮の点でも優れ、紙材質でかつ包装する重積硬貨のいずれの金種についても共通でありながら透明化域を通じて重積硬貨の周面を重積方向全域にわたって可視し得て金種や枚数などを確認できる。さらに、包装する重積硬貨のいずれの金種についても重積硬貨の高さ方向の中心を包装ロール紙の上下方向の中心に略一致させて包装することにより、包装する重積硬貨のいずれの金種についても紙材質の共通の包装ロール紙を用いて包装できる。特に、透明化域の所定幅および所定ピッチは、包装する重積硬貨のいずれの金種についても、その重積硬貨の周囲に巻回して略凸Ｖ字形カッタで切断される包装紙片の巻回方向長さ全長が巻回された包装硬貨のいずれかの巻回方向域に、透明化域を通じて重積硬貨の周面が可視し得る可視化域が形成される値に設定したため、その可視化域が重積硬貨の周面のいかなる位置に形成されても重積硬貨の重積方向全域を可視でき、さらには包装紙片の後端部の略凹Ｖ字形状後端部に可視化域が形成される場合でも重積方向全域を可視できる。
【発明を実施するための最良の形態】
【００２７】
以下、本発明の一実施の形態を図面を参照して説明する。
【００２８】
図１ないし図３において、11は同一金種の硬貨を所定枚数重積した重積硬貨Ｃを包装する包装ロール紙で、複数金種に共通使用され、この包装ロール紙11は、材質が例えば３０ｇ／ｍ2〜１１０ｇ／ｍ2クラフト紙などの不透明な紙材質で帯状に形成された硬貨包装紙12をパイプ状の芯材13にロール状に巻回して形成されている。
【００２９】
硬貨包装紙12の第１実施例について述べると、この硬貨包装紙12の重積硬貨Ｃに巻回する巻回方向（長手方向）に対して交差する幅方向寸法Ｗは、包装する重積硬貨Ｃのいずれの金種つまり１円、５円、１０円、５０円、１００円、５００円についても、包装可能とする値に設定されている。すなわち、硬貨を５０枚ずつ重積したときの高さが１円、５円、１０円の７５ｍｍ、５０円の８７．５ｍｍ、１００円の８５ｍｍ、５００円の９０ｍｍである場合、硬貨包装紙12の幅方向寸法Ｗが１１０ｍｍに設定されている。
【００３０】
硬貨包装紙12は、包装工程において、略凸Ｖ字形カッタ75（図４参照）で切断され、硬貨包装紙12が巻回方向（長手方向）に所定長さLxの切断長さピッチ寸法の包装紙片14に切断されて重積硬貨Ｃの周囲に巻回される。
【００３１】
包装紙片14の先端および後端の切断形状は、略凸Ｖ字形カッタ75で切断されるので、先端中央が突出するとともに後端中央が窪む略Ｖ字形になっている。
【００３２】
この包装紙片14の先端中央の突出端と後端中央の先端側へ窪む略凹Ｖ字形状先端との寸法がLxであり、包装紙片14の後端中央の先端側へ窪む略凹Ｖ字形状先端部から包装紙片14の後端までの寸法がL1であり、包装紙片14の巻回方向（長さ方向）全長の寸法はLx＋L1となる。
【００３３】
なお、包装紙片14の先端に形成されている略凸Ｖ字形状先端部と、包装紙片14の後端に形成されている略凹Ｖ字形状後端部とは、同じ略凹Ｖ字形カッタ75で切断されるので、凹凸の違いはあれ、同じ形状であり、寸法も同じL1である。包装紙片14において先端側の略凹Ｖ字形状先端部（寸法L1）と後端側の略凹Ｖ字形状後端部（寸法L1）の間の巻回方向（長さ方向）域が後続主要部分（Lx−L1）で、重積硬貨を巻く包装紙片14の主要部分となる。
【００３４】
この例では、L1は２０ｍｍに設定されている。なお、略凹Ｖ字形カッタ75により切断される包装紙片14の巻回方向（長さ方向）の後端について、本例では上側後端と下側後端が巻回方向（長さ方向）の等位置にある。ところが、上側後端または下側後端の一方が他方より巻回方向（長さ方向）の後方に位置している場合は、包装紙片14の後端中央の先端側へ窪む略凹Ｖ字形状先端から包装紙片14の後端のうち後方に位置する上側後端または下側後端までの寸法がL1となる。
【００３５】
包装紙片14の所定長さLxは、包装する重積硬貨Ｃのいずれの金種についても、その重積硬貨Ｃの周囲に略２巻きに巻回される値に設定されている。例えば、硬貨の外径が１円の２０ｍｍ、５円の２２ｍｍ、１０円の２３．５ｍｍ、５０円の２１ｍｍ、１００円の２２．６ｍｍの場合、略２巻きに巻回可能とする包装紙片14の所定長さLxは１４５ｍｍに設定され、また、５００円の２６．５ｍｍの場合、略２巻きに巻回可能とする包装紙片14の所定長さLxは他の金種の１４５ｍｍより少し長い１６７ｍｍに設定される。
【００３６】
硬貨包装紙12には、紙材質の不透明な領域に不透明域15が形成され、この不透明域15より透明な透明化域16が重積硬貨Ｃに巻回する巻回方向に対し交差する幅方向には全域の幅方向寸法Ｗに形成されているとともに巻回方向には所定幅ｂでかつ所定ピッチｐで形成されている。この透明化域16は、例えば、包装ロール紙11の製造段階でアクリル系、ポリエステル系などの透明化薬剤やワックスをフレキソ印刷機、グラビア印刷機、スクリーン印刷機などの印刷機で塗布して紙材質に浸透させる透明化処理により、紙材質より透明度を高くし、硬貨包装紙12の一側方向から透明化域16を透かして他側方向を可視できるようにしている。
【００３７】
なお、透明化域16の透明度は重積硬貨Ｃに巻回した状態で、重積硬貨Ｃが確認できる程度であれば半透明であってもよい。
【００３８】
透明化域16の巻回方向における所定幅ｂおよび所定ピッチｐは、包装する重積硬貨Ｃのいずれの金種についても、その重積硬貨Ｃの周囲に巻回した包装状態で透明化域16を通じて重積硬貨Ｃの周面が可視し得る値に設定されており、重積硬貨Ｃの周囲に包装紙片14が略２巻きに巻回される場合、重積硬貨Ｃの周囲に巻回される包装紙片14の重なり部位に各々形成される透明化域16を通じて重積硬貨Ｃの周面が可視し得る可視化域Ｙが形成される値に設定されている。例えば、所定ピッチｐは、包装する重積硬貨Ｃのいずれの金種についても対応できるように、最小外径金種の外径と最大外径金種の外径との平均外径から求められる円周の長さとして設定でき、最小外径金種の外径２０ｍｍと最大外径金種の外径２６．５ｍｍの場合、（２０＋２６．５）／２×３．１４＝７３ｍｍに設定する。また、所定幅ｂは、所定ピッチｐより短い値で、３０ｍｍに設定される。
【００３９】
硬貨包装紙12の不透明域15の表面には、予め銀行名などの表示を印刷したり、包装工程において金種や金額などの表示を印刷可能とする。
【００４０】
次に、図４に硬貨包装機21を示し、この硬貨包装機21は、包装する金種の硬貨を１枚ずつ供給する包装用硬貨供給機構22、この包装用硬貨供給機構22から供給される硬貨を所定枚数ずつ重積する硬貨重積機構23、この硬貨重積機構23で重積された重積硬貨Ｃを包装ロール紙11から切断した包装紙片14で包装する包装機構24、この包装機構24に包装ロール紙11を供給する給紙機構25、および包装機構24で包装完了した包装硬貨（棒金）を排出する包装硬貨排出機構26、包装サイクルを定めるカム群27を有している。
【００４１】
包装用硬貨供給機構22では、包装する硬貨をホッパ31に受け入れて供給円盤32により回転円盤33に所定量ずつ供給し、この回転円盤33の回転による遠心力によって硬貨を硬貨通路34へ１枚ずつ送り込み、この硬貨通路34の上方に配設された搬送ベルト35によって硬貨通路34内の硬貨を搬送する。硬貨通路34は、固定通路板36と可動通路板37との間に形成されており、これら固定通路板36と可動通路板37との間隔は、包装する包装金種の硬貨が跨って載った状態で硬貨通路34を通過し、包装金種より小径の金種の硬貨が固定通路板36と可動通路板37との間から落下排除されるように構成されている。硬貨通路34には、硬貨を識別するセンサ38、硬貨通路34から送り出す硬貨枚数を検知するセンサ39、および硬貨重積機構23に対して所定の重積枚数分の硬貨を送り出した後の次の硬貨を停止させるストッパ40がそれぞれ配設されている。
【００４２】
また、硬貨重積機構23は、対向して配置される一対の重積ベルト41とこれら一対の重積ベルト41と交差する方向で対向して配置される一対のガイド42とを有し、これら一対の重積ベルト41と一対のガイド42との間に重積空間43が形成されている。一対の重積ベルト41の表面に突起41aが設けられ、これら両突起41a上に硬貨通路34から送り出される硬貨を受け取り、さらにこれら両突起41aに載る硬貨上に続けて硬貨通路34から送り出される硬貨を順に受け取って重積する。一対の重積ベルト41の突起41a上に１枚の硬貨を受け取って重積する度に一対の重積ベルト41を回転させて突起41aを硬貨１枚分ずつ下降させることにより、突起41a上に所定枚数の硬貨を重積して重積硬貨Ｃを構成する。一対の重積ベルト41の下部間には両突起41a上から重積硬貨Ｃを受け取るとともに包装機構24に受け渡すシャッタ44が開閉可能に配設されている。
【００４３】
また、包装機構24は、硬貨重積機構23の下方に配置された３本の包装ローラ45，46，47を有し、これら包装ローラ45，46，47のうち、２本の包装ローラ45，46は定位置で回転可能とし、残りの１本の包装ローラ47は径方向に移動可能で、重積硬貨Ｃを３本の包装ローラ45，46，47で挟持可能としている。定位置で回転する２本の包装ローラ45，46のうちの１本はモータによって回転駆動し、３本の包装ローラ45，46，47で挟持した重積硬貨Ｃを回転させる。
【００４４】
包装機構24は、硬貨重積機構23から３本の包装ローラ45，46，47間に重積硬貨Ｃを送り込む重積硬貨供給機構48を有している。図５に示すように、この重積硬貨供給機構48は、図示しないガイドによって３本の包装ローラ45，46，47間で上下方向に移動可能に支持された支持部49を有し、この支持部49の溝50に揺動レバー51の一端のローラ52が転動可能に係合され、この揺動レバー51の他端のローラ53が案内部材54の案内溝55に転動可能に係合されている。
【００４５】
揺動レバー51の中間には従動レバー56の先端がピン57によって回転可能に連結され、従動レバー56の基端がピン58によって定位置に回転可能に支持されている。従動レバー56の中間にカムローラ59が回転可能に軸支され、このカムローラ59が支持部49の上下方向の高さ位置を上昇、下降させる昇降用カム60（包装サイクルを定めるカム群27の１個）のカム面に当接されている。昇降用カム60のカム面は環状に形成され、回転時に所定位置に回動する昇降用カム60のカム面との当接位置に応じてカムローラ59を上下方向に移動させることにより、従動レバー56がピン58を支点として上下方向に揺動するとともに、この従動レバー56によって揺動レバー51が案内部材54に係合するローラ53を支点として上下方向に揺動し、支持部49が上下方向に移動する。そして、昇降用カム60の回転で上下方向に移動する支持部49は、硬貨重積機構23から重積硬貨Ｃを受け取る重積硬貨受取位置A1、重積硬貨Ｃを包装機構24で包装する包装位置A2、包装機構24の下方で包装硬貨を放出する放出位置A3に移動する。
【００４６】
案内部材54には一体回動するアーム61が突設され、このアーム61の先端にカムローラ62が回転可能に軸支され、このカムローラ62が金種切換用カム63のカム面に当接されている。金種切換用カム63のカム面は環状に形成され、金種切換時に回動する金種切換用カム63のカム面との当接位置に応じてカムローラ62を上下方向に移動させることにより、アーム61と一緒に案内部材54が回動し、案内部材54の案内溝55が回動変位して揺動レバー51のローラ53の位置を上下方向に移動させ、揺動レバー51が従動レバー56のピン57を支点として上下方向に揺動し、支持部49が上下方向に移動する。そして、金種切換用カム63の切り換えにより、包装位置A2に移動する支持部49は、重積硬貨Ｃの高さ位置を金種に応じて異ならせるとともに、いずれの金種についても重積硬貨Ｃの高さ方向の中心を包装機構24に導く包装ロール紙11の上下方向の中心ｈに略一致させる。なお、重積硬貨Ｃの高さ調整は、重積硬貨Ｃの各金種別に個別に調整するか、重積硬貨Ｃの高さを大、中、小の３グループに分けて３段階に調整する。
【００４７】
包装機構24には、重積硬貨Ｃの周面に巻回した包装紙片14の重積硬貨Ｃの上下より突出する突出部分を重積硬貨Ｃの上下面に巻き込んでかしめる上下のかしめ鉤64が配設されている。
【００４８】
また、給紙機構25は、包装ロール紙11が装填される装填部65を有し、この装填部65には包装ロール紙11が載置される回転可能とする円板66、この円板66から突出して包装ロール紙11の芯材13が挿通される支持軸67が突設されている。円板66は包装ロール紙11の引出方向に対して所定の制動力が与えられ、引出時に包装ロール紙11が慣性回転するのを防止している。
【００４９】
図４および図６に示すように、包装ロール紙11の先端つまり硬貨包装紙12の先端は一対の給紙ローラ68，69間にくわえ込まれ、これら給紙ローラ68，69の駆動によって硬貨包装紙12の先端を包装機構24の包装ローラ45〜47間に導く湾曲した給紙通路70が形成されている。この給紙通路70には、硬貨包装紙12の一面をガイドする複数のガイド板71，72，73が配設されているとともに、硬貨包装紙12の下縁をガイドする基台74が配設されている。中間のガイド板72は湾曲状に形成されている。
【００５０】
給紙通路70に臨んで硬貨包装紙12を所定長さの包装紙片14に切断するための略凸Ｖ字形カッタ75が配設され、この略凸Ｖ字形カッタ75の刃部は中央が突出する略Ｖ字形に形成されている。
【００５１】
包装硬貨排出機構26は、包装機構24から放出される包装硬貨を受け取る受取部76を有し、この受取部76に受け取った包装硬貨を所定の場所に搬送する。
【００５２】
次に、本実施の形態の作用を説明する。
【００５３】
図４に示すように、包装ロール紙11を装填部65に装填し、包装ロール紙11の先端つまり硬貨包装紙12の先端を一対の給紙ローラ68，69間を通じて給紙通路70に送り込み、硬貨包装紙12を略凸Ｖ字形カッタ75で切断して硬貨包装紙12の先端形状を略凸Ｖ字形とし、図６に実線で示すように、硬貨包装紙12の先端部を包装ローラ45〜47の直前の待機位置に送って待機させる。
【００５４】
包装する硬貨をホッパ31に投入し、このホッパ31に投入された硬貨を回転円盤33を通じて硬貨通路34に１枚ずつ送り込み、この硬貨通路34で識別するとともに包装金種の硬貨のみを硬貨重積機構23へ送り出し、重積硬貨Ｃを構成する所定枚数分の硬貨を送り出したら後続の硬貨をストッパ40で停止させ、次の重積硬貨Ｃを構成する硬貨の送り出しに待機する。
【００５５】
硬貨重積機構23では、一対の重積ベルト41の突起41a上に硬貨通路34から送り出される硬貨を受け取り、一対の重積ベルト41の突起41a上に１枚の硬貨を受け取って重積する度に一対の重積ベルト41を回転させて突起41aを硬貨１枚分ずつ下降させることにより、突起41a上に所定枚数の硬貨を重積して重積硬貨Ｃを構成する。
【００５６】
一対の重積ベルト41の突起41a上に重積された重積硬貨Ｃをシャッタ44に受け渡す。図５に示すように、このシャッタ44の下側には、重積硬貨受取位置A1に移動させた重積硬貨供給機構48の支持部49が位置し、シャッタ44の開放によって重積硬貨Ｃを支持部49に受け渡す。重積硬貨Ｃを載せた支持部49を包装位置A2に移動させ、重積硬貨Ｃを包装機構24の包装ローラ45〜47間に移動させる。このとき、重積硬貨Ｃの高さ位置を金種に応じて異ならせるとともに、いずれの金種についても重積硬貨Ｃの高さ方向の中心を包装機構24に導く包装ロール紙11の上下方向の中心ｈに略一致させる。
【００５７】
包装機構24の包装ローラ45〜47で重積硬貨Ｃを挟持して回転させるとともに、重積硬貨Ｃの挟持の直前あるいは直後に、一対の給紙ローラ68，69によって硬貨包装紙12の先端を重積硬貨Ｃと包装ローラ45との間に送り込み、硬貨包装紙12の先端を重積硬貨Ｃの周囲に巻回開始させる。
【００５８】
給紙ローラ68，69の硬貨包装紙12の送出速度より包装ローラ45〜47による巻回速度が速く、これらの速度差によって、図５に２点鎖線で示すように、硬貨包装紙12が直線状に緊張していって略凸Ｖ字形カッタ75に押し付けられ、所定長さＬの包装紙片14に切断する。したがって、所定長さの包装紙片14が重積硬貨Ｃの周囲に巻回され、略凸Ｖ字形カッタ75によって切断した後続の硬貨包装紙12の先端部は包装ローラ45〜47の直前の待機位置に送って次回の包装動作に待機させる。なお、５００円以外の包装金種の場合には、包装紙片14の所定長さLxが重積硬貨Ｃを略２巻きに巻回可能とする１４５ｍｍであるが、包装金種が５００円の場合には、給紙ローラ68，69の送出速度を少し速めることにより、包装紙片14の所定長さLxを１４５ｍｍより長い１５７ｍｍとして５００円の重積硬貨Ｃを略２巻きに巻回可能としている。
【００５９】
上下のかしめ鉤64により、重積硬貨Ｃの周面に巻回した包装紙片14の重積硬貨Ｃの上下より突出する突出部分を重積硬貨Ｃの上下面に巻き込んでかしめ、図２に示すように、重積硬貨Ｃを包装紙片14で包装した包装硬貨を形成する。
【００６０】
包装機構24による上下のかしめ鉤64のかしめ動作終了後、包装硬貨を載せた支持部49を包装機構24の下方の放出位置A3に移動させるとともにこの支持部49を側方に移動させ、包装ローラ47の開放方向への移動によって包装硬貨を下方へ放出し、この放出された包装硬貨を包装硬貨排出機構26の受取部76に受け取って所定の場所に搬送する。
【００６１】
そして、包装硬貨は、図３(a)(b)に示すように、最小径硬貨である１円から最大径硬貨である５００円のいずれの金種についても、重積硬貨Ｃの周囲に包装紙片14の切断長さ寸法Lxが略２巻きに巻回されている。重積硬貨Ｃの周囲に巻回される包装紙片14の１巻きずつに透明化域16が位置し、包装紙片14の１巻き目の透明化域16と２巻き目の透明化域16との一部が重なり、これら両透明化域16の重なり部位である透明化域Ｙを通じて重積硬貨Ｃの周面が可視し得る。
【００６２】
次に、硬貨包装紙12の第１実施例および第２実施例について、さらに詳細に説明する。
【００６３】
まず、硬貨包装紙12の包装紙片14の第１実施例を説明する。
【００６４】
なお、硬貨包装紙12は６０ｇ／ｍ2のクラフト紙にピッチｐが７３ｍｍ、所定幅ｂが３０ｍｍの透明化域16をフレキソ印刷機でアクリル系透明化薬剤を４０ｇ／ｍ2塗布、含浸し形成した。
【００６５】
１円、５円、１０円、５０円、１００円の各金種硬貨を包装する包装紙片14の切断長さLxは１４５ｍｍ、略凹Ｖ字形状後端部の寸法L1の寸法は２０ｍｍであり、５００円の金種硬貨を包装する包装紙片14の切断長さLxは１６７ｍｍ、略凹Ｖ字形状後端部の寸法L1の寸法は２０ｍｍであるので、Lx部分の巻数は１円の２．３巻、５円の２．１巻、１０円の２巻、５０円の２．２巻、１００円の２巻、５００円の２巻、（Lx＋L1）の巻数は１円の２．６巻、５円の２．４巻、１０円の２．２巻、５０円の２．５巻、１００円の２．３巻、５００円の２．２巻となる。
【００６６】
また、１円、５円、１０円、５０円、１００円（以下１円〜１００円と記載する）はピッチｐ（７３ｍｍ）の点からみると、包装硬貨１本について１．９８ｐずつ使われる。また、５００円は包装硬貨１本につき２．３ｐずつ使われる。
【００６７】
包装ロール紙11は１本で例えば包装硬貨２０００本程度（５００円硬貨の包装本数で算出）が包装され、１円〜１００円から５００円へ、またはその逆の金種変更が行われると、１．９８ｐから２．３ｐへ、またはその逆の包装紙片14の送り量が変わる。
【００６８】
その結果、包装紙片14は、１円〜１００円および５００円のいずれについても７３本を１サイクルとし、同一金種硬貨が連続的に包装されるとすると１本目と７３本目の包装紙片14が同じ可視化域Ｙ位置の状態となり、不透明域15および透明化域16の配置も１本目と７３本目が同じとなる。
【００６９】
そして、１円〜１００円および５００円について包装硬貨の周面に出現する可視化域Ｙの個数、可視化域Ｙの幅、可視化域Ｙの出現箇所について次の表１に示す。
【００７０】
【表１】
2005231705.tif 000003
【００７１】
次に、硬貨包装紙12の第２実施例を説明する。
【００７２】
この第２実施例では、金種毎に全て完全二重巻きとなるLxの寸法に設定される。具体的には、硬貨の外径が１円の２０ｍｍの場合の所定長さLxは１２６ｍｍ、５円の２２ｍｍの場合の所定長さLxは１３８ｍｍ、１０円の２３．５ｍｍの場合の所定長さLxは１４８ｍｍ、５０円の２１ｍｍの場合の所定長さLxは１３２ｍｍ、１００円の２２．６ｍｍの場合の所定長さLxは１４２ｍｍ、５００円の２６．５ｍｍの場合の所定長さLxは１６７ｍｍに設定される。硬貨包装紙12の幅方向寸法Ｗ、包装紙片14の略凸Ｖ字形状先端部および略凹Ｖ字形状後端部の各寸法L1は第１実施例と同じである。
【００７３】
また、包装ロール紙11の１本で例えば２０００本程度（５００円硬貨の包装とみて算出）の包装硬貨が包装できるようになっている。
【００７４】
そして、１円〜１００円および５００円の各金種硬貨を包装する包装紙片14の切断長さLxについて述べると、１円のLxは１２６ｍｍ、５円のLxは１３８ｍｍ、１０円のLxは１４８ｍｍ、５０円のLxは１３２ｍｍ、１００円のLxは１４２ｍｍ、５００円のLxは第１の実施例と同じ１６７ｍｍである。
【００７５】
略凹Ｖ字形状後端部の寸法L1は、１円〜１００円および５００円の全て２０ｍｍ（第１の実施例と同じ）である。
【００７６】
その結果、Lxの巻数は１円〜１００円および５００円の全金種とも２巻となり、Lx＋L1の巻数は１円〜１００円は２．３巻、５００円は２．２巻となる。
【００７７】
１円〜１００円および５００円の包装硬貨１本あたりの使用量についてピッチｐ（７３ｍｍ）の点からみると、１円は１．７ｐ、５円は１．９ｐ、１０円は２ｐ、５０円は１．８ｐ、１００円は１．９ｐ、５００円は２．３ｐである。
【００７８】
包装金種の変更時は変更前の金種の包装紙片14の送りピッチ量から、変更後の金種の包装紙片14の送りピッチ量に変わるが、同じ略凸Ｖ字形カッタ75で切断されるため、包装紙片14の略凸Ｖ字形状先端部、および略凹Ｖ字形状後端部の形状は金種が変わっても変わらない。
【００７９】
１円〜１００円および５００円のいずれも７３本を１サイクルとし、同一金種硬貨が連続的に包装されるとすると、１本目と７３本目の包装紙片14が同じ可視化域Ｙ位置の状態となり、不透明域15および透明化域16の配置も１本目と７３本目か同じとなる。
【００８０】
そして、１円〜１００円および５００円について包装硬貨の周面に出現する可視化域Ｙの個数、可視化域Ｙの幅、可視化域Ｙの出現箇所について次の表２に示す。
【００８１】
【表２】
2005231705.tif 000004
【００８２】
なお、硬貨包装紙12の第１実施例および第２実施例における１本目から７３本目までの不透明域15、透明化域16の各配置は、紙厚を考慮しないで示したものであり、紙厚の大小によっては変化することになり、また、透明化域16の所定幅ｂとか所定ピッチｐの誤差、硬貨包装機21の製造誤差、略凸字形カッタ75による包装紙片14の切断時の誤差などによっても変わってくる。両例とも一例として示したもので、両例に限られるものではない。
【００８３】
このように、硬貨包装紙12は、材質が紙材質で、この紙材質に透明化処理が施された透明化域16を有し、この透明化域16は重積硬貨Ｃに巻回される巻回方向に対し交差する幅方向には全域の幅方向寸法Ｗに形成されるとともに巻回方向には所定幅ｂでかつ所定ピッチｐで形成され、その透明化域16の所定幅ｂおよび所定ピッチｐは、包装する重積硬貨Ｃのいずれの金種についても、その重積硬貨Ｃの周囲に巻回した包装状態で透明化域16を通じて重積硬貨Ｃの周面が可視し得る可視化域Ｙが形成できる値に設定したため、セロハンや合成樹脂などの材質に比べて安価で環境への配慮の点でも優れ、しかも、紙材質でかつ包装する重積硬貨Ｃのいずれの金種についても共通でありながら透明化域16を通じて可視化域Ｙにより重積硬貨Ｃの周面を可視し得て金種や枚数などを確認できる。
【００８４】
しかも、包装紙片14が重積硬貨Ｃの周囲に略２巻き（例えば切断長さ寸法Lxについて２巻〜２．３巻）巻回される場合でも、透明化域16の所定幅ｂおよび所定ピッチｐは、包装する重積硬貨Ｃのいずれの金種についても、その重積硬貨Ｃの周囲に巻回される包装紙片14の重なり部位（１巻目と２巻目の各部位）に各々形成される透明化域16を通じて重積硬貨Ｃの周面が可視し得る可視化域Ｙが形成できる値に設定したため、透明化域16を通じて可視化域Ｙにより重積硬貨Ｃの周面を確実に可視し得ることができる。
【００８５】
また、硬貨包装紙12の紙材質に透明化薬剤およびワックスのいずれかを浸透させることにより、透明化域16を容易に形成できる。
【００８６】
また、包装工程において、包装する重積硬貨Ｃのいずれの金種についても重積硬貨Ｃの高さ方向の中心を包装ロール紙11の上下方向の中心ｈに略一致させて包装することにより、包装する重積硬貨Ｃのいずれの金種についても紙材質の共通の包装ロール紙11を用いて包装できる。
【００８７】
なお、硬貨包装紙12の紙材質としては、クラフト紙を用いることにより、丈夫で、透明化域16を容易に形成しやすいが、重積硬貨Ｃへの包装紙片14の巻き数を変化させたり透明化薬剤の選択などによって他の紙材質を用いることもできる。
【図面の簡単な説明】
【００８８】
【図１】本発明の一実施の形態を示す硬貨包装紙およびこの硬貨包装紙をロール状に巻回した包装ロール紙の斜視図である。
【図２】同上硬貨包装紙で重積硬貨を包装した斜視図である。
【図３】同上硬貨包装紙（ここでは第１の実施例の場合）で重積硬貨を包装した模式図を示し、(a)は最小径の１円の重積硬貨を包装した模式図、(b)は最大径の５００円の重積硬貨を包装した模式図である。
【図４】同上硬貨包装紙を用いて重積硬貨を包装する硬貨包装機の機構を示す斜視図である。
【図５】同上硬貨包装機の重積硬貨供給機構を示す側面図である。
【図６】同上硬貨包装機の給紙機構の平面図である。
【符号の説明】
【００８９】
11    包装ロール紙
12    硬貨包装紙
14    包装紙片
16    透明化域
24    包装機構
25    給紙機構
45，46，47    包装ローラ
64    かしめ鉤
75    略凸Ｖ字形カッタ
Ｃ    重積硬貨
Ｙ    可視化域
【図１】
2005231705.tif 000005
【図２】
2005231705.tif 000006
【図３】
2005231705.tif 000007
【図４】
2005231705.tif 000008
【図５】
2005231705.tif 000009
【図６】
2005231705.tif 000010